(57)【要約】  【課題】  外部機器により生じる乱れた画像に対して，適切なタイミングでミュート処理を行うことが可能な映像信号処理装置及びテレビジョン受像機を提供することにある。  【解決手段】  動画映像信号を構成する複数の単位画像信号が順次入力され，その単位画像信号を映像の表示手段に順次出力する際に，前記単位画像の乱れを検出した結果に基づいて前記単位画像信号各々についてミュート処理の要否を判別し，その要否の判別に必用な時間以上前記単位画像信号各々の表示を遅延させ，ミュート処理の要否の判別結果に従って，遅延された前記単位画像信号についてミュート処理を適宜行う映像信号処理装置として構成される。【選択図】図１
2006140627.tif 000002
【特許請求の範囲】
【請求項１】
動画映像信号を構成する複数の単位画像信号が順次入力され，該単位画像信号を映像表示手段へ順次出力する際に前記単位画像信号の乱れがあった場合に，ミュート処理を行う映像信号処理装置であって，
前記単位画像信号の乱れを検出し，その検出結果に基づいて前記単位画像信号各々についてミュート処理の要否を判別するミュート要否判別手段と，
前記単位画像信号各々を，前記ミュート要否判別手段による前記単位画像信号各々についてのミュート処理の要否判別に必要な所定時間以上遅延させて前記映像表示手段へ順次出力する映像信号遅延手段と，
前記ミュート要否判別手段による判別結果に従って，前記映像信号遅延手段により順次出力される前記単位画像信号についてミュート処理を行うミュート処理手段と，
を具備してなることを特徴とする映像信号処理装置。
【請求項２】
前記ミュート要否判別手段が，順次入力される複数の前記単位画像信号について連続して乱れが検出された場合に，それら連続する複数の前記単位画像信号についてミュート処理が必要と判別してなる請求項１に記載の映像信号処理装置。
【請求項３】
前記ミュート要否判別手段が，前記動画映像信号における垂直同期相当信号及び／又は水平同期相当信号に基づいて前記単位画像信号各々の乱れを検出してなる請求項１又は２のいずれかに記載の映像信号処理装置。
【請求項４】
外部から動画映像信号を入力する外部映像信号入力手段と，
前記外部映像信号入力手段により入力される前記動画映像信号についてミュート処理を行う請求項１〜３のいずれかに記載の映像信号処理装置と，
を具備してなることを特徴とするテレビジョン受像機。
【発明の詳細な説明】
【技術分野】
【０００１】
本発明は，映像信号に処理を施す映像信号処理装置及びそれを具備するテレビジョン受像機に関するものであり，特にチャンネル切替時等に生じる乱れた映像画面に対してミュート処理を行う映像信号処理装置，及びそれを具備するテレビジョン受像機に関するものである。
【背景技術】
【０００２】
リモコン等の入力操作によるチャンネル切替が行われた場合等に，テレビジョン受像機の表示手段により表示される画像は一時的に乱れたものとなる場合がある。このような乱れた画像は，視覚的に不快感を伴うものである。そこで，乱れた画像が表示されるのを防止することにより，映像出力機器（テレビジョン受像機等）の視覚的な快適さを保持するものとして，特許文献１に記載の技術が知られている。
特許文献１には，視聴者によるチャンネル切替の入力操作がなされた場合等に，その入力操作を検知して，チャンネル切替中に表示される数フレーム分の画像に対してミュートを行う放送受信装置が開示されている。
【特許文献１】特開２００３−３３３４４６号公報
【発明の開示】
【発明が解決しようとする課題】
【０００３】
しかしながら，特許文献１に示されているような方法では，テレビジョン受像機が，例えばビデオ装置（ビデオ再生／録画装置）等の外部機器に接続されており，その外部機器によりチャンネル切替がなされた場合等については有効ではない。なぜならば，前記テレビジョン受像機がチャンネルの切替制御を行う場合には，前記テレビジョン受像機は自身が切替制御を行ったタイミングに基づいて，画像をミュートすべきタイミングを判別することが可能であるが，一方，チャンネルの切替制御が外部機器によってなされた場合には，ミュートを施すべきタイミングの判別が不可能だからである。
従って，本発明は上記事情に鑑みてなされたものであり，その目的とするところは，外部機器により生じる乱れた画像に対しても，適切なタイミングでミュート処理を行うことが可能な映像信号処理装置及びテレビジョン受像機を提供することにある。
【課題を解決するための手段】
【０００４】
上記目的を達成するために本発明は，動画映像信号を構成する複数の単位画像信号が順次入力され，その単位画像信号を映像の表示手段に順次出力する際に，前記単位画像の乱れを検出した結果に基づいて前記単位画像信号各々についてミュート処理の要否を判別し，その要否の判別に必用な所定時間以上前記単位画像信号各々の表示を遅延させ，ミュート処理の要否の判別結果に従って，遅延された前記単位画像信号についてミュート処理を適宜行う映像信号処理装置として構成される。
上述のような，ミュート処理の要否の判別に要する時間は，予め計算できる所定の時間である。従って，画像の乱れを検出する機能，その検出結果に基づいてミュート処理の要否の判別するのに必要な時間だけ前記単位画像の表示を遅延させる機能，を有することにより，外部機器により生じる乱れた画像の信号に対して適切なタイミングでミュート処理を行い，その乱れた画像の表示を防止することが可能となる。
【０００５】
ここで，順次入力される複数の前記単位画像信号について連続して乱れが検出された場合に，それらの連続する複数の前記単位画像信号についてミュート処理が必要であると判別する場合が考えられる。
実際には，乱れた画像が視覚的に不快であると感じるのは，そのような乱れた画像が連続して表示される場合であると思われる。従って，上記の構成によれば，実際に視聴者が不快と感じるであろう場合のみに対して，確実かつ無駄のないミュート処理が行われる。
また，ミュート処理が必要か否かの判別に用いられる，前記単位画像信号による画像が乱れたものか否かの判定は，前記動画映像信号における垂直同期信号相当の信号，又は水平同期信号相当の信号，あるいはそれらの両方に基づいて行うことが考えられる。
例えばチャンネルが切り替わり時等の，前記単位画像に乱れが生じる場合は，前記単位画像信号１つ辺りに含まれる水平同期信号の数が，通常時における所定の数（例えば，５２５本）に比べて少なくなることが知られている。また，前記単位画像信号各々を区分する垂直同期信号の周期が短くなることが知られている。このように，前記垂直同期信号相当の信号，前記水平同期信号相当の信号を用いると，前記単位画像の乱れを定量的な方法で確実に検出することが可能となる。
【発明の効果】
【０００６】
本発明によれば，画像の乱れを検出する機能，その検出結果に基づいてミュート処理の要否の判別するのに必要な時間だけ前記単位画像の表示を遅延させる機能，を有することにより，本体機器によるチャンネル切り替えによらず，外部機器により生じる乱れた画像の信号に対しても適切なタイミングでミュート処理を行い，その乱れた画像の表示を防止することが可能となる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明に係る映像信号処理装置の機能を説明する概念図，図２は本発明の実施形態に係るテレビジョン受像機Ｘの概略構成図，図３は動画映像信号の詳細な構成を示す概念図，図４は本発明の実施形態に係るテレビジョン受像機Ｘの有する同期信号分離回路５の作用を示す概念図，及び非標準判定回路７の概略構成を示すブロック図，図５は本発明の実施形態に係る映像信号処理装置Ａによる，水平同期信号，又は垂直同期信号を用いて前記単位画像信号が非標準か否かを判定する処理手順を示すフローチャート，図６は本発明の実施形態に係る映像信号処理装置Ａによる，単位画像信号が非標準であるか否かの判定に基づいたミュート処理の開始，及びミュート処理の解除までの処理手順を示すフローチャートである。
【０００８】
（１）本発明に係る映像信号処理装置の概要について
本発明に係る映像信号処理装置は，基本的に動画映像信号を構成する，一フレーム分の画像を表す複数の単位画像信号が順次入力され，該単位画像信号を後述の映像出力部（映像表示手段の一例）に表示させる際に，前記単位画像信号に対してミュート処理（即ち，前記単位画像信号により表される映像画面を一様な黒画面で置き換える処理）等の信号処理を施すものである。
例えばチャンネル切替時等には，視覚的に不快感を伴う乱れた映像画面が生じる。ミュート処理は，そのような不快な乱れた映像画面を表示する代わりに，一様な黒画面を表示することにより，映像出力機器（テレビジョン受像機等）の視覚的な快適さを保持する目的等で用いられるものである。
本発明に係る映像信号処理装置は，そのような乱れた画像の表示を防止するミュート処理を適切に行うための，２つの主要な機能を有する。図１は本発明に係る映像信号処理装置の機能を説明する概念図であり，以下に，図１を参照しつつ，それら２つの機能について説明する。
【０００９】
一つ目の機能は，前記単位画像信号により表示される１フレーム分の映像画面が乱れたものか否かを検出する機能（以下，映像画面の乱れと前記単位画像信号の乱れを同一視する。また，乱れのない状態を標準といい，乱れのある状態を非標準という）である。つまり，全ての単位画像信号に対して，それが乱れているか否かの判定（図１に示される１ａ，１ｂ…のような標準映像の単位画像信号であるか，２ａ，２ｂ…のような非標準映像の単位画像信号であるかの判定）を行い，その判定結果に基づいて，前記単位画像信号各々についてミュート処理の要否を判別するものである。
二つ目の機能は，前記単位画像信号を前記映像出力部に出力するタイミングを遅延させると共に，一つ目の機能によってミュート処理が必要と判別された前記単位画像信号に対してミュート処理を行う機能である。即ち，上述のように，本発明に係る映像信号処理装置は，一つ目の機能により，前記単位画像信号が入力されてから，該単位画像信号が標準であるか非標準であるかが検出され，その検出結果に基づいて前記単位画像信号各々にミュート処理を行うか否かが判別される。この時，ミュート処理が必要と判別された前記単位画像信号に，実際にミュート処理を施した上で出力するには，少なくともその判別に要する所定時間だけ該単位画像信号を保持（一時記憶）しておく必要がある。
【００１０】
（２）本発明の実施の形態に係る映像信号処理装置の機能を実現するための概略構成について
次に，図２に基づいて上記した２つの機能を達成するためのテレビジョン受像機Ｘの概要について述べる。
図２は本発明の実施の形態に係る映像信号処理装置Ａ，及びそれを具備するテレビジョン受像機Ｘの概略構成図である。
図２に示されるように，本発明の実施の形態に係る映像信号処理装置Ａは，同期信号分離回路５，映像信号処理回路６，非標準判定回路７，制御部８，表示処理回路９等を有する。また，前記テレビジョン受像機Ｘは，前記映像信号処理装置Ａに加えて，外部機器インターフェース３，スイッチ部４（映像信号スイッチ４ａ，音声信号スイッチ４ｂ），液晶コントローラ１０，液晶ドライバ１１，液晶パネル１２，音声出力処理回路１３，スピーカ１４等を有する。これらの各要素の詳細については後述する。
前記外部機器インターフェース部３は，ビデオ装置Ｙ（ビデオ再生／録画装置）等の外部機器を接続し，その外部機器による前記動画映像信号及び音声信号を入力する機能を有するものである。
【００１１】
外部機器の一例であるビデオ装置Ｙは，前記外部機器インターフェース部３を介して前記スイッチ部４に接続されている。このスイッチ部４は，複数の映像信号が入力される映像信号スイッチ４ａ及び複数の音声信号が入力される音声信号スイッチ部４ｂとを有する。前記映像信号スイッチ４ａは，後述の制御部８からの制御指令に従って，前記外部機器インターフェース部３から入力された複数の動画映像信号（前記外部機器インターフェース部３より入力された動画映像信号，不図示の地上波アナログチューナーにより抽出され検波された動画映像信号，不図示のＢＳ，ＣＳチューナ等により抽出され検波された動画映像信号等）のうちの１つを選択するものである。同様に，前記音声信号スイッチ４ｂは，前記制御部８からの制御指令に従って，入力された複数の音声信号のうちの１つを選択するものである。尚，前記制御部８は，視聴者による視聴チャンネル選択の操作入力に従って，前記映像信号スイッチ４ａ及び前記音声信号スイッチ４ｂを制御する。
前記動画映像信号は，詳しくは後述のように，１フレーム分の画像情報を表す単位画像信号から構成される。前記映像信号スイッチ４ａにより選択され入力された前記動画映像信号は，前記同期信号分離回路５及び前記映像信号処理回路６に入力される。前記同期信号分離回路５に入力された，前記動画映像信号を構成する前記端画像信号から，前記制御部８により設定される同期分離レベルに基づいて，詳しくは後述するように，垂直同期信号及び水平同期信号が分離される。これらの分離された信号は，前記非標準判定回路７及び前記表示処理回路９に入力される。
【００１２】
前記非標準判定回路７では，前記同期信号分離回路５により分離され入力された前記垂直同期信号及び前記水平同期信号から，分離元の前記単位画像信号が標準であるか非標準であるかが判定される。その判定結果は，前記制御部８に入力される。
前記制御部８では，前記非標準判定回路７による判定結果に基づいて，前記単位画像信号各々にミュート処理を施すか否かが判別される。尚，前記制御部８は，ＭＰＵ及びその周辺機器であるＲＯＭ，ＲＡＭ等を備え，該ＲＯＭに記憶されている制御プログラムを実行することにより，当該テレビジョン受像機Ｘの統括的な制御を行うものである。例えば，前記単位画像信号各々にミュート処理を施すか否かの判別結果に基づいて，前記表示処理回路９に，実際にミュート処理を行わせる制御信号を入力する。
【００１３】
一方，前記映像信号処理回路６に入力された前記動画映像信号は，そこでＡ／Ｄ変換，３次元Ｙ／Ｃ分離（輝度信号，色信号の抽出）等の各種映像処理が施される。また，前記映像信号処理回路６は前記単位画像信号を記憶する画像メモリ６ａを有しており，該画像メモリ６ａに前記単位画像信号各々が一時的に記憶され，前記単位画像信号（前記輝度信号，色信号）の出力は所定の時間だけ遅延される。前記映像信号処理回路６により抽出された前記輝度信号，色信号は前記表示処理回路９に入力される。
上述のように，前記表示処理回路９には，前記映像信号処理回路６により抽出された前記輝度信号，前記色信号，及び前記同期信号分離回路５により分離された前記垂直同期信号及び前記水平同期信号が入力されている。前記表示処理回路９では，それらの入力信号に基づいた映像画面信号の生成，フォーマットコンバート処理などが行われる。該映像画面信号は，前記液晶コントローラ１０に入力される。
前記液晶コントローラ１０は，前記表示処理回路９により生成された前記映像画面信号に基づいて，前記液晶ドライバ１１に対する制御信号を入力する。前記液晶ドライバ１１は，その制御信号に基づいて前記液晶パネル１２を駆動し，映像を表示させる。
【００１４】
一方，前記音声信号スイッチ４ｂにより選択され入力された前記音声信号に対して，そこで前記音声出力処理回路１３により各種信号処理（音声出力部の特性に応じたイコライズ処理，サラウンド処理，前記制御部８に設定される出力音量レベルに応じた信号レベルの増幅処理等）が施される。また，前記映像表示処理回路と同様に，前記音声出力処理回路１３は，前記音声信号を記憶する音声メモリ１３ａを有している。該音声メモリ１３ａに前記音声信号が一時的に記憶され，前記音声信号の出力は所定の時間だけ遅延される。また，その遅延時間は，前記映像信号処理回路６により前記単位画像信号（前記輝度信号，色信号）の出力が遅延される時間と同一にコントロールされる。
このように，出力が遅延された前記音声信号は，スピーカ等からなる前記音声出力部１４により出力される。
前記テレビジョン受像機Ｘは，以上の構成以外にも，通常のテレビジョン受像機として動作するための種々の構成（例えば，テレビ放送信号を入力するチューナ，入力されたテレビ放送信号から動画映像信号，音声信号を抽出する検波回路など）を有するものであるが，それらは特に本発明の特徴に関与するものではないため，説明を省略する。
【００１５】
（３）本発明の実施の形態に係る映像信号処理装置の第１の機能（前記単位画像信号の乱れの検出）の詳細について
図３は，本実施形態で採用される信号伝送方式の，インターレース方式における前記動画映像信号の詳細な構成を示す概念図である。以下，図３を参照しつつ，インターレース方式での前記動画映像信号の詳細な構成について説明を行う。尚，この説明は本発明の適用対象がインターレース方式に限られることを示すものではなく，プログレッシブ走査方式等が採用された動画映像信号に対しても，同様に適用が可能である。
前記映像信号処理回路６で処理される動画映像信号は，単位画像信号を時分割で，連続的にならべたものである。即ち，この単位画像信号は，前記動画映像信号を構成する１フレーム分（つまり，静止画像一枚分）の画像を表す信号である。前記単位画像信号には，前記静止画像が表示される表示画面を略横方向に捜査する走査線の区切りを示す水平同期パルス１５，及び１フレームを略２分割する奇数フィールド，偶数フィールドの区切りを示す垂直同期パルス１６が各々所定の周期で配置されている。それらのパルスの間隙には，前記静止画像の画素各々の輝度及び色の情報１７が重畳されている。
前記単位画像信号から，前記輝度及び色の情報１７を取り除いたもの（即ち，前記前記水平同期パルス１５，前記垂直パルス同期１６からなる信号）はコンポジット信号（或いは，複合同期信号）と呼ばれる。前記コンポジット信号は，前記水平同期パルス１５に相当する水平同期信号，及び前記垂直同期パルス１６に相当する垂直同期信号が合成され所定の操作がなされた信号として形成されており，前記コンポジット信号に対する所定の信号処理（その所定の操作の逆操作，微分処理，積分処理等）を施すと，前記水平同期信号及び前記垂直同期信号を取り出すことが可能である。以下，前記水平同期信号と前記水平同期パルス１５とを総称して水平同期相当信号という。また，前記垂直同期信号と前記垂直同期パルス１６とを総称して垂直同期相当信号という。以下，水平同期信号，垂直同期信号を用いて説明する。
【００１６】
図４（ａ）は，前記同期信号分離回路５の作用を示す概念図である。上述のような構造の前記単位画像信号が入力されると，微分回路，積分回路等からなる前記同期信号分離回路５により，図４（ａ）に示されるように，前記垂直同期信号及び前記水平同期信号が前記単位画像信号から分離される。分離された前記垂直同期信号及び前記水平同期信号は，前記非標準判定回路７に入力され，前記単位画像信号が標準であるか非標準であるかの判定に用いられる。
前記単位画像信号が標準である場合，前記水平同期信号の周波数は既知の値（以下，標準周波数ｆＨ０という）をとることが知られている（例えば，ＮＴＳＣ方式の場合は１５．７３４ｋＨｚである）。また，１フレーム分の前記単位画像信号に含まれる（つまり，前記垂直同期信号で区切られる区間２つ分の区間における）前記水平同期信号の数も既知の数（以下，標準数ＮＨ０という）になる（例えば，ＮＴＳＣ方式の場合は５２５本である）。
つまり，前記水平同期信号の周波数の実測値（以下，測定周波数ｆＨという）と前記標準周波数ｆＨ０との比較，１フレーム分の前記単位画像信号に含まれる前記水平同期信号の数の実測値（以下，測定数ＮＨという）と前記標準数ＮＨ０との比較等により，それらの差分が大きい場合に，前記単位画像信号が非標準であると判定するのが妥当である。
【００１７】
本実施形態では，上記２通りの判定方法（水平同期信号の周波数による方法，垂直同期信号によって区切られる区間２つ分の区間における水平同期信号の数による方法）の両方に基づいて，前記非標準判定回路７（ミュート要否判定手段の一部の一例）により，前記単位画像信号が標準であるか否かの判定がなされる（つまり，乱れを検出する）。より詳しくは，前記測定周波数ｆＨと前記標準周波数ｆＨ０の差分が大きいこと，及び前記測定数ＮＨと前記標準数ＮＨ０の差分が大きいこと，のいずれもが生じた場合（つまり，いずれの判定方法においても非標準であると判定される場合に）に，そのような単位画像信号は非標準であると判定する。尚，このような標準，非標準の判定は，順次入力される前記単位画像信号各々に対して行われる。
図４（ｂ）は，前記非標準判定回路７の概略構成を示す図である。図４（ｂ）に示されるように，前記非標準判定回路７は，クロックカウンタ１８，水平同期信号周波数計算回路１９，水平同期カウンタ２０，判定回路２１を有する。
前記クロックカウンタ１８，及び前記水平同期信号周波数計算回路１９は前記測定周波数を測定（計算）するのに用いられる。
図５（ａ）は，前記水平同期信号を用いて前記単位画像信号が非標準か否かを判別する処理手順を示すフローチャートである。これらの手順は，上記図４（ｂ）に示したような個別回路によっても，また，コンピュータを用いても達成可能である。以下，図４（ｂ），図５（ａ），を用いて，前記水平同期信号の周波数に基づいて前記単位画像信号が非標準か否かを判定する手順について説明する。尚，以下に示すＳ１，Ｓ２，…は，処理手順（ステップ）の識別符号を表したものであり，ステップＳ１の処理から開始される。
【００１８】
前記クロックカウンタ１８には前記水平同期信号，不図示のクロック信号発生器により発生されたクロック信号が入力される。ステップＳ１では，前記クロックカウンタ１８により，前記クロック信号に基づいて，前記水平同期信号の入力周期が計算される。また，その計算結果は前記水平同期信号周波数計算回路１９に入力され，周波数ｆＨに換算される。このようにして，前記測定周波数ｆＨが得られる。
ステップＳ１に続くステップＳ２では，前記測定周波数ｆＨが前記判定回路２１に入力され，そこで前記標準周波数ｆＨ０とが比較，つまりそれらの差分が算出される。前記測定周波数ｆＨと前記標準周波数ｆＨ０との差分が，予め前記判定回路２１における不図示の記憶部に記憶されている第一の閾値ｆ０以上であれば，その単位画像信号は非標準であると判定される。一方，前記第一の閾値ｆ０より小さければ，その単位画像信号は標準であると判定され，ステップＳ１に戻り，前記クロックカウンタ１８により前記水平同期信号の入力周期の計算が繰り返される。
【００１９】
また，図５（ｂ）は，前記垂直同期信号を用いて前記単位画像信号が非標準か否かを判定する処理手順を示すフローチャートである。以下，図４（ｂ），図５（ａ），及び図５（ｂ）を用いて，前記非標準判定回路７における前記単位画像信号が非標準か否かを判定する手順について説明する。尚，以下に示すＳ３，Ｓ４，…は，処理手順（ステップ）の識別符号を表したものであり，ステップＳ３の処理から開始される。
前記水平同期カウンタ２０には，前記同期信号分離回路５により分離された前記水平同期信号及び前記垂直同期信号が入力されており，ステップＳ３では，前記水平同期カウンタ２０により，前記単位画像信号１つ辺りに（つまり，１フレーム辺りに）含まれる前記水平同期信号の数（前記測定数ＮＨ）が測定される。
ステップＳ３に続くステップＳ４では，前記測定数ＮＨが前記判定回路２１に入力され，そこで前記標準数ＮＨ０との差分が算出される。また，該差分が前記記憶部に記憶されている第二の閾値Ｎ０以上であれば，その単位画像信号は非標準であると判定される。一方，前記第二の閾値Ｎ０より小さければ，その単位画像信号は標準であると判定され，ステップＳ３に戻り，前記単位画像信号１つ辺りに含まれる前記水平同期信号の数の計算が繰り返される。
尚，前記第一の閾値ｆ０及び前記第二の閾値Ｎ０は操作入力により任意に可変である。
【００２０】
（４）前記映像信号処理装置における，単位画像信号に対してミュート処理が必要であるか否かの判別について
上述のように，前記判定回路２１は上記２通りの判定結果に基づいて，いずれの結果も非標準であると判定される場合に，前記単位画像信号が非標準であると（最終的に）判定する。一方，いずれかの結果が非標準でないと判定するものであれば，前記単位画像信号は標準であると判定する。このような判定の結果（以下，標準非標準判定結果という）は，前記単位画像信号各々に対して順次前記制御部８に入力される。
前記制御部８では，前記非標準判定回路７による判定結果に基づいて，前記単位画像信号各々に対してミュート処理が必要であるか否かが判別される，
図６（ａ）は，単位画像信号が非標準であるか否かの判別に基づいたミュート処理の開始までの前記制御部８の処理手順を示すフローチャートである。尚，以下に示すＳ５，Ｓ６，…は，処理手順（ステップ）の識別符号を表したものであり，ステップＳ５の処理から開始される。また，これらの処理は全て前記制御部８により実行される。
【００２１】
ステップＳ５では，当該処理を実行するプログラムで用いられる所定の変数Ｎに０が代入される。尚，この変数Ｎは，非標準である前記単位画像信号が連続したフレーム数を示している。換言すると，前記非標準判定回路７による非標準の判定が何フレーム分連続したかを示す数である。
ステップＳ５に続くステップＳ６では，新規の前記標準非標準判定結果が入力される毎に，それが標準であるか否かが判定される。標準であると判定されると（Ｓ６のＮＯ），ステップＳ５に戻り，前記変数Ｎに０が代入された後に，次に入力された標準非標準判定結果が標準であるか否かの判定が行われる。尚，前回の判定から次の標準非標準判定結果が入力されるまでの待機が行われ，新規の標準非標準判定結果が入力される毎にステップＳ６の処理が行われるものとする。
一方，非標準であると判定されると（Ｓ６のＹＥＳ），ステップＳ７に進み，前記変数Ｎに１が加らえた後，ステップＳ８に進む。
【００２２】
ステップＳ８では，前記変数Ｎが２以上か否か，つまり，非標準である前記単位画像信号が２回以上（２フレーム分以上）連続したか否かが判別される。２回以上（２フレーム分以上）連続した場合は（Ｓ８のＹＥＳ），ミュート処理が必要なものと判別される。また，前記表示処理回路９に所定のミュート指令信号が入力され，それらの非標準である前記単位画像信号が連続している部分に対してミュート処理が行れる。
一方，２回以上（２フレーム分以上）連続していないと判別されると，それらの単位画像信号に対してミュート処理は必要なしと判別され，ステップＳ６に戻り，新規に入力された標準非標準判定結果が標準であるか非標準であるかの判定を繰り返す。
以上のように，前記非標準判定回路７では前記単位画像信号が標準か非標準化が判定され（乱れが検出され），前記制御部８では，その判定（乱れの検出）結果に基づいて，前記単位画像信号各々についてミュート処理の要否が判別される。また，順次入力される２つの（複数の一例）の前記単位画像信号について乱れが検出された場合に，それら連続する２つ（２フレーム分）の前記単位画像信号についてミュート処理が必要と判別される。尚，前記非標準判定回路７及び前記制御部８がミュート要否判別手段の一例である。
【００２３】
（５）前記映像信号処理装置における，単位画像信号に対するミュート処理の解除について
前記制御部８は，前記表示処理回路９に対してミュート指令信号を入力し，前記単位画像信号に対してミュート処理を開始させると，次に，処理のミュート処理を解除するか否かが判別される
図６（ｂ）は，単位画像信号が非標準であるか否かの判別に基づいたミュート処理の解除までの前記制御部８の処理手順を示すフローチャートである。尚，以下に示すＳ９，Ｓ１０，…は，処理手順（ステップ）の識別符号を表したものであり，ステップＳ９の処理から開始される。また，これらの処理は全て前記制御部８により実行される。
ステップＳ９では，当該処理を実行するプログラムで用いられる所定の変数Ｍ，詳しくは，前記非標準判定回路６による標準の判定が何連続したか（何フレーム分連続したか）を示す数，に０が代入される。
【００２４】
ステップＳ９に続くステップＳ１０では，新規の前記標準非標準判定結果が入力される毎に，それが標準であるか否かが判定される。非標準であると判定されると（Ｓ１０のＮＯ），ステップＳ９に戻り，前記変数Ｍに０が代入された後に，次に入力された標準非標準判定結果が標準であるか否かの判定が行われる。
一方，標準であると判定されると（Ｓ１０のＹＥＳ），ステップＳ１１に進み，前記変数Ｍに１が加えられた後，ステップＳ１２に進む。
ステップＳ１２では，前記変数Ｍが２以上か否か，つまり，標準である前記単位画像信号が２回以上連続したか否かが判定される。２回以上連続した場合は（Ｓ１２のＹＥＳ），ミュート処理を解除すべきと判別され，また，前記表示処理回路９に所定のミュート解除指令信号が入力される。
一方，２回以上連続していないと判別されると，それらの単位画像信号に対して未だにミュート処理は必要であると判別され，ステップＳ１０に戻り，新規に入力された標準非標準判定結果が標準であるか非標準であるかの判定を繰り返す。
【００２５】
（６）本発明の実施の形態に係る映像信号処理装置の第２の機能（前記単位画像信号の遅延及びミュート処理）の詳細について
前述のように，非標準の前記単位画像信号が２フレーム分以上連続した場合に，それらの前記単位画像信号に対してミュートを施すべきと判断する。従って，ある単位画像信号に対してミュート処理が必要か否かを判定するには，少なくとも次の単位画像信号が非標準か否かの判定が完了することが必要である。また，それに加えて図６（ａ），（ｂ）のフローチャートに示される処理，上述のミュート指令信号，ミュート解除指令信号の伝送，等に時間を要する。本実施例では，それら全てを含めて，安定してミュート処理が必要か否かを判別するのに要する時間は，丁度２フレーム分であるとする。この，２フレーム分の，ミュート処理の要否の判別に要する予め定められた時間を所定の時間と呼ぶ。
そこで，前記画像メモリ６ａには，常に２フレーム分の前記単位画像信号（単位画像信号２つ分）を，順次入力順に更新しながら記憶するものとする。
【００２６】
つまり，図１に示すように，例えば単位画像信号１ａ，１ｂ…の順に，前記映像信号処理回路６にある単位画像信号が入力されると，それらは前記画像メモリ６ａに一時記憶され，出力が遅延される。例えば，前記単位画像信号１ａの２つ後の単位画像信号２ａが入力される時点で，前記単位画像信号１ａから抽出された前記輝度信号，及び前記色信号の前記表示処理回路９に対する出力が行われる。ミュート処理が必要か否かを判定するのに要する所定の時間は丁度２フレーム分であるので，やはり前記単位画像信号２ａが前記映像信号処理回路６に入力される時点で（つまり，前記単位画像信号１ａから抽出された前記輝度信号，色信号が前記表示処理回路９に対して出力されるのと同時に），前記単位画像信号１ａとその次の単位画像信号１ｂとを参照した，それらの単位画像信号１ａ，１ｂに対してミュート処理が必要か否かの判別結果を示す信号（前記ミュート指令信号，前記ミュート解除指令信号）が前記制御部８から出力され，それらは前記表示処理回路９に入力される。前記表示処理回路９が，前記指令信号と同時及びそれ以降に入力された前記単位画像信号（詳しくは，該単位画像信号から抽出された前記輝度信号及び前記色信号）に対して，該指令信号に基づくミュート処理を行うものとすれば，ミュート処理が必要と判別された前記単位画像信号に対して，ミュート処理を行うべき対象を誤らずにミュート処理が行われる。例えば，前記単位画像信号２ａと単位画像信号２ｂが連続して非標準であると判定されたものとすると，それらに対してミュート処理を行わせるミュート指令信号と，前記単位画像信号２ａ（当該信号から抽出された輝度信号及び色信号）が同時に前記表示処理回路９に入力されるので，前記単位画像信号２ａ及びその後に入力される前記単位画像信号２ｂに対してミュート処理が行われる。
このように，前記非標準判定回路７，及び前記制御部８（ミュート要否判別手段の一例）による，前記単位画像各々についてのミュート処理の要否の判別に要する所定時間だけ，前記画像メモリ６ａに前記単位画像信号が記憶され，前記液晶パネル１２（映像表示手段）へ順次出力される時間が遅延される。尚，前記画像メモリ６ａ及び前記映像信号処理回路６が映像信号遅延手段の一例である。また，前記表示処理回路９（ミュート処理手段の一例）により，前記非標準判定回路７，及び前記制御部８（ミュート要否判別手段の一例）による前記単位画像各々についてのミュート処理の要否の判別結果に従って，前記映像信号処理回路６（映像信号遅延手段）より順次出力される前記単位画像信号についてミュート処理が行われる。
【実施例】
【００２７】
上述の実施形態では，２つの単位画像信号（２フレーム分の単位画像信号）が連続して非標準であると判定された場合に，それら２つの単位画像信号に対してミュート処理を行う例を示したが，これに限られるものではなく，非標準の単位画像信号が３フレーム分連続した場合に，それらに対してミュート処理を行うものであってもよい。また，非標準の前記単位画像信号が単独で存在する（連続していない）場合でも，その単独の単位画像信号に対してミュート処理が必要と判別するものであってもよい。また，ミュート処理が必要と判別する条件の，非標準と判定された連続数が，操作入力により変更されるものであってもよい。
更に，必ずしも単位画像信号各々（１フレーム毎）に対して標準若しくは非標準の判定を行わずとも，前記単位画像信号の半分（１フィールド）を最小単位として，それらが標準若しくは非標準の判定を行うものとしてもよい。その場合，例えば３フィールド非標準の判定が連続した場合について，それら３フィールド分の動画映像信号に対してミュート処理を施すものとすれば良い。同様に，２つの連続した前記単位画像信号（２フレーム分の単位画像信号）に対して，一括して標準，非標準の判定を行うものであってもよい。
尚，これらの例のように，ミュート処理が必要であると判別する条件（非標準のフレーム，もしくはフィールドが何連続したか）を変更する場合には，当然ながらその判別に要する時間（所定の時間）も変化する。また，システム全体の構成，各種信号の入力経路などによっても，ミュート処理の要否の判別時間が変化する。従って，このような変化に伴い，映像信号処理回路９による遅延時間（画像メモリ９ａに前記単位画像信号が記憶されている時間）は，操作入力により変更可能としておくのが望ましい。
【００２８】
上述の実施形態では，測定周波数ｆＨと標準周波数ｆＨ０の差分が大きいこと（図５（ａ）参照），及び測定数ＮＨと標準数ＮＨ０の差分が大きいこと（図５（ｂ）参照），のいずれもが生じた場合（つまり，いずれの判定方法においても非標準であると判定される場合に）に，前記単位画像信号が非標準であると判定する例を開示したが，これに限られるものではない。
即ち，判定精度に関する観点からは必ずしも望ましくはないが，前記測定周波数ｆＨと前記標準周波数ｆＨ０の差分が大きいこと（図５（ａ）参照），及び測定数ＮＨと標準数ＮＨ０の差分が大きいこと，のいずれか一方が生じた場合に，前記単位画像信号が非標準であると判定されるものも考えられる。
また，前記測定数，つまり，前記単位画像信号１つ辺り（１フレーム辺り）に含まれる水平同期信号の数を非標準の判定に用いる代わりに，水平同期カウンタ２０と判定回路２１（図４（ｂ）参照）とを結ぶ経路上に垂直同期信号の周波数を計測する回路を設けておき，その周波数の測定値を非標準の判定に用いてもよい。つまり，標準である場合の垂直同期信号の周波数は既知の値（例えば，ＮＴＳＣ方式では５９．９４Ｈｚ）であり，この既知の値と測定値との差分が大きい場合に，前記単位画像信号が非標準であると判定するものとする。
【００２９】
上述の実施形態では，前記単位画像信号に対するミュート処理を，表示処理回路９（図２参照）の制御により行うものとしたが，これに限られるものではなく，例えば，液晶コントローラ１０に対して前記液晶パネル１２にミュート画面を表示させる制御が行われるものであってもよい。
また，画像メモリ６ａを前記表示処理回路９に設けておき，前記単位画像信号が前記表示処理回路９において記憶され，出力が遅延されるものとしてもよい。
その他，本発明の要旨を逸脱しない範囲において様々な変形例が考えられる。
【図面の簡単な説明】
【００３０】
【図１】本発明に係る映像信号処理装置の機能を説明する概念図。
【図２】本発明の実施形態に係るテレビジョン受像機Ｘの概略構成図。
【図３】動画映像信号の詳細な構成を示す概念図。
【図４】本発明の実施形態に係るテレビジョン受像機Ｘの有する同期信号分離回路５の作用を示す概念図，及び非標準判定回路７の概略構成を示すブロック図。
【図５】本発明の実施形態に係る映像信号処理装置Ａによる，水平同期信号，又は垂直同期信号を用いて前記単位画像信号が非標準か否かを判定する処理手順を示すフローチャート。
【図６】本発明の実施形態に係る映像信号処理装置Ａによる，単位画像信号が非標準であるか否かの判定に基づいたミュート処理の開始，及びミュート処理の解除までの処理手順を示すフローチャート。
【符号の説明】
【００３１】
Ａ…本発明の実施形態に係る映像信号処理装置
Ｘ…映像信号処理装置Ａを具備するテレビジョン受像機
Ｙ…ビデオ装置（外部機器）
３…外部機器インターフェース
４…スイッチ部
５…同期信号分離回路
６…映像信号処理回路
７…非標準判定回路
８…制御部
９…表示処理回路
１０…液晶コントローラ
１１…液晶ドライバ
１２…液晶パネル
１３…音声出力処理回路
１４…音声出力部
１８…クロックカウンタ
１９…水平同期信号周波数計算回路
２０…水平同期カウンタ
２１…判定回路
【図１】
2006140627.tif 000003
【図２】
2006140627.tif 000004
【図３】
2006140627.tif 000005
【図４】
2006140627.tif 000006
【図５】
2006140627.tif 000007
【図６】
2006140627.tif 000008